(57)【要約】【課題】  身体のバランス力を整えることができる新たな靴を提供する。【解決手段】  発明の靴は、靴本体と、靴底部と、支持用凸部とを有し、前記靴底部は、前記靴本体の接地面側の外面に固定され、前記支持用凸部は、前記靴底部の接地面側の外面であって、土踏まず対応領域の一部に固定され、前記靴底部の前記外面を基準として、前記接地面側に最も突起しており、着用時において、身体を支える支点となることを特徴とする。【選択図】  図１
2017158950.tif 000002
【特許請求の範囲】
【請求項１】
靴本体と、靴底部と、支持用凸部とを有し、
前記靴底部は、
前記靴本体の接地面側の外面に固定され、
前記支持用凸部は、
前記靴底部の接地面側の外面であって、土踏まず対応領域の一部に固定され、
前記靴底部の前記外面を基準として、前記接地面側に最も突起しており、
着用時において、身体を支える支点となることを特徴とする靴。
【請求項２】
前記凸部が、前記靴底部の前記外面において、幅方向の一端から他端の全域に固定されている、請求項１記載の靴。
【請求項３】
さらに、つま先側ストッパー部を有し、
前記つま先側ストッパー部は、
前記靴底部の接地面側の外面であって、つま先対応領域の一部に固定されている、請求項１または２記載の靴。
【請求項４】
さらに、かかと側ストッパー部を有し、
前記かかと側ストッパー部は、
前記靴底部の接地面側の外面であって、かかと対応領域の一部に固定されている、請求項１から３のいずれか一項に記載の靴。
【請求項５】
登山靴である、請求項１から４のいずれか一項に記載の靴。
【請求項６】
靴への取付け部と、土台部と、支持用凸部とを有し、
前記取付け部は、
前記土台部を、靴の靴底の外面に固定する部材であり、
前記支持用凸部は、
前記土台部における前記靴底の外面との対向面とは反対の面であって、土踏まず対応領域の一部に固定され、
前記靴に取付けた状態において、前記靴底の外面を基準として、前記靴底の接地面側に最も突起しており、
取付けた靴の着用時において、身体を支える支点となることを特徴とする靴のアタッチメント。
【請求項７】
前記凸部が、前記土台部の前記反対面において、幅方向の一端から他端の全域に固定されている、請求項６記載の靴のアタッチメント。
【請求項８】
さらに、つま先側ストッパー部を有し、
前記つま先側ストッパー部は、
前記土台部の前記反対面であって、つま先対応領域の一部に固定されている、請求項６または７記載の靴のアタッチメント。
【請求項９】
さらに、かかと側ストッパー部を有し、
前記かかと側ストッパー部は、
前記土台部の前記反対面であって、かかと対応領域の一部に固定されている、請求項６から８のいずれか一項に記載の靴のアタッチメント。
【発明の詳細な説明】
【技術分野】
【０００１】
本発明は、靴および靴のアタッチメントに関し、具体的には、登山靴および登山靴用アタッチメントに関する。
【背景技術】
【０００２】
ウォーキング、ハイキング、登山等、歩くという動作においては、適切な身体の動かし方によって、身体のバランスを整えることもできれば、反対に、身体のバランスを崩してしまう場合もある。
【発明の概要】
【発明が解決しようとする課題】
【０００３】
本発明は、例えば、身体のバランス力を整えることができる新たな靴を提供することを目的とする。
【課題を解決するための手段】
【０００４】
前記目的を達成するために、本発明の靴は、靴本体と、靴底部と、支持用凸部とを有し、
前記靴底部は、
前記靴本体の接地面側の外面に固定され、
前記支持用凸部は、
前記靴底部の接地面側の外面であって、土踏まず対応領域の一部に固定され、
前記靴底部の前記外面を基準として、前記接地面側に最も突起しており、
着用時において、身体を支える支点となることを特徴とする。
【０００５】
本発明の靴のアタッチメントは、靴への取付け部と、土台部と、支持用凸部とを有し、
前記取付け部は、
前記土台部を、靴の靴底の外面に固定する部材であり、
前記支持用凸部は、
前記土台部における前記靴底の外面との対向面とは反対の面であって、土踏まず対応領域の一部に固定され、
前記靴に取付けた状態において、前記靴底の外面を基準として、前記靴底の接地面側に最も突起しており、
取付けた靴の着用時において、身体を支える支点となることを特徴とする。
【発明の効果】
【０００６】
従来の靴は、踵からつま先に向かって重心移動することにより、歩行が行われる。この歩行によると、歩行中、靴底の様々な箇所に重心がかかりやすくなり、全身を使ってバランスをとる必要がなくなる。この結果、バランスの悪い歩行が常態化するおそれがあった。これに対して、本発明の靴は、前述のように、靴底の接地面側であって、土踏まずに対応する領域に、支持用凸部を備えており、前記支持用凸部が、身体を支える支点となる。本発明の靴を着用した場合、前記支持用凸部に全重心がかかることから、全身を使ってバランスを取る必要があるため、自然とバランス力が養われることになる。また、身体のバランスを取るには、体幹のインナーマッスルが関与するため、インナーマッスルも鍛えることができる。本発明の靴のアタッチメントも、靴への装着により、同様の効果を奏することができる。
【図面の簡単な説明】
【０００７】
【図１】実施形態１の靴を示す概略図である。
【図２】実施形態１において、土踏まず対応領域を示す概略図である。
【図３】実施形態２の靴を示す概略図である。
【図４】実施形態２の靴を示す概略図である。
【図５】実施形態３の靴のアタッチメントを示す概略図である。
【図６】実施形態４の靴のアタッチメントを示す概略図である。
【発明を実施するための形態】
【０００８】
本発明の靴は、例えば、前記凸部が、前記靴底部の前記外面において、幅方向の一端から他端の全域に固定されている。
【０００９】
本発明の靴は、例えば、さらに、つま先側ストッパー部を有し、
前記つま先側ストッパー部は、
前記靴底部の接地面側の外面であって、つま先対応領域の一部に固定されている。
【００１０】
本発明の靴は、例えば、さらに、かかと側ストッパー部を有し、
前記かかと側ストッパー部は、
前記靴底部の接地面側の外面であって、かかと対応領域の一部に固定されている。
【００１１】
本発明の靴は、例えば、登山靴である。
【００１２】
本発明の靴のアタッチメントは、例えば、前記凸部が、前記土台部の前記反対面において、幅方向の一端から他端の全域に固定されている。
【００１３】
本発明の靴のアタッチメントは、例えば、さらに、つま先側ストッパー部を有し、
前記つま先側ストッパー部は、
前記土台部の前記反対面であって、つま先対応領域の一部に固定されている。
【００１４】
本発明の靴のアタッチメントは、例えば、さらに、かかと側ストッパー部を有し、
前記かかと側ストッパー部は、
前記土台部の前記反対面であって、かかと対応領域の一部に固定されている。
【００１５】
以下に、本発明について、詳細に説明する。
【００１６】
本発明の靴について、以下、例をあげて説明する。ただし、本発明は、以下の例に限定されない。なお、各図において、同一部分には同一符号を付している。各実施形態においては、特に示さない限り、他の実施形態の記載を援用できる。
【００１７】
以下、「上」「下」とは、着用時における上下方向をいう。「長さ方向の長さ」とは、単に「長さ」ともいい、靴の前端と後端とを結ぶ方向の長さであり、「幅方向の長さ」とは、単に「幅」ともいい、前記長さ方向に垂直方向の長さである。
【００１８】
（実施形態１）
図１に、本発明の実施形態１の靴を示す。図１（Ａ）は、靴の側面図であり、図１（Ｂ）は、靴の裏面図である。図１に示すように、本実施形態１の靴は、紐靴タイプであり、靴本体１１と、靴底部１２と、支持用凸部１３とを有する。支持用凸部１３は、着用時において、身体を支える支点となる。
【００１９】
靴底部１２は、靴本体１１の接地面側の外面に固定されている。靴底部１２は、いわゆるソールであり、例えば、靴本体１１と一体化して形成されることで、靴本体１１に固定されてもよいし、靴本体１１と靴底部１２とが別々に構成され、靴底部１２が、接着等により靴本体１１に固定されてもよい。靴底部１２の接地面側の外面の形状は、特に制限されず、例えば、フラットな面でもよいし、凹凸面でもよい。通常の靴は、靴底部の接地面側の外面の全体によって、身体を支えているが、本発明の靴は、前述のように、支持用凸部１３により身体を支えているため、靴底部１２の前記外面の形状は、特に制限されない。
【００２０】
支持用凸部１３は、靴底部１２の接地面側の外面であって、土踏まず対応領域の一部に固定されている。土踏まず対応領域とは、靴を着用した際、前記靴底部において、身体の土踏まずとその周辺領域に対応する領域を意味する。土踏まずとは、一般的に、足裏のアーチであり、足底臼蓋ともいわれる。前記土踏まず対応領域は、例えば、靴底部において、身体の土踏まずの前端を通る幅方向の線と、身体の土踏まずの後端を通る幅方向の線との間の領域ということができる。具体的には、図２に示すように、靴底部１２において、土踏まずに該当する領域をＡとした場合、領域Ａの前端を通る幅方向の線Ｘと、領域Ａの後端を通る幅方向の線Ｙとの間の領域Ｂが、支持用凸部１３が固定される土踏まず対応領域である。図２において、Ｗは、靴１、靴本体１１または靴底部１２の前端から後端までの全長である。
【００２１】
靴底部１２において、支持用凸部１３を固定する部位は、前述のように土踏まず領域であればよく、土踏まず領域における固定部位は、特に制限されない。靴底部１２において、一般的に、前端を基準０（０／Ｗ）、後端を基準１（Ｗ／Ｗ）とした場合、土踏まずに該当する領域Ａは、例えば、０．３の位置から０．７５の位置の間の領域であり、土ふまず対応領域Ｂは、例えば、０．３の位置から０．７５の位置の間の領域である。このため、靴底部における支持用凸部１３を固定する部位は、例えば、０．３の位置から０．７５の位置の間の領域であることが好ましい。
【００２２】
本実施形態では、支持用凸部１３は、形状が略長方形であり、靴底部の幅方向の略全体に形成されている。支持用凸部１３は、土踏まず対応領域において、例えば、幅方向の全体に形成されてもよいし、幅方向の一部に形成されてもよい。「幅方向の全体に形成」とは、例えば、靴底部１２の幅方向における一方の端部から他方の端部にわたって、支持用凸部１３が固定されている形態である。この場合、支持用凸部１３の形状は、特に制限されず、例えば、角柱状、丸柱状等があげられる。角柱状は、例えば、四角等の多角があげられる。丸柱状は、例えば、楕円状等があげられる。また、「幅方向の一部に形成」とは、例えば、靴底部１２の幅方向において、中心部に支持用凸部１３が固定されている形態、断続的に複数の支持用凸部１３が固定されている形態等があげられる。この場合、支持用凸部１３の形状は、特に制限されず、例えば、角柱状、丸柱状等があげられる。角柱状は、例えば、三角、四角等の多角があげられる。丸柱状は、例えば、真円状、楕円状等があげられる。いずれの形態においても、支持用凸部１３は、例えば、下方向に向かって狭まっていくテーパー形状でもよい。
【００２３】
支持用凸部１３は、靴底部１２の外面を基準として、接地面側に最も突起している。これによって、本実施形態の靴は、着用時において、支持用凸部１３が、身体を支える支点となる。支持用凸部の高さは、特に制限されず、例えば、５〜１０ｃｍであり、具体例として、大人向けの平地歩行用の場合、例えば、５〜１０ｃｍであり、大人向けの登山用の場合、例えば、７〜８．５ｃｍであり、子供向けの場合、例えば、３．５〜４．３ｃｍである。支持用凸部１３の長さ（図２におけるＷ方向の長さ）は、特に制限されず、例えば、１〜５ｃｍであり、具体例として、大人向けの平地歩行用の場合、例えば、１〜５ｃｍであり、大人向けの登山用の場合、例えば、１〜２．５ｃｍであり、子供向けの場合、例えば、２〜２．５ｃｍである。支持用凸部１３の幅（図２におけるＷ方向に垂直な幅方向の長さ）は、特に制限されず、例えば、１．５〜６ｃｍであり、具体例として、大人向けの場合、例えば、２．５〜６ｃｍであり、子供向けの場合、例えば、１．５〜４ｃｍである。
【００２４】
支持用凸部１３の材質は、特に制限されない。支持用凸部１３は、前述のように身体を支える支点となるため、体重がかかることによって、実質的に変形しない強度の材質であることが好ましい。具体的には、例えば、木材、非弾性ゴム等のゴムがあげられる。
【００２５】
本発明の靴の種類は、特に制限されず、例えば、登山靴、ウォーキングシューズ等があげられ、中でも、登山靴が好ましい。登山は、歩行中に重心が大きく移動する。このため、本発明の靴を登山靴とすれば、例えば、登山において、支持用凸部１３に重心を集中させながら歩行することによって、バランス力をつける効果的なトレーニングを行うことができる。
【００２６】
（実施形態２）
図３に、本発明の実施形態２の靴を示す。図３（Ａ）は、靴の側面図であり、図３（Ｂ）は、靴の裏面図である。図３に示すように、本実施形態の靴１は、実施形態１と同様に、紐靴タイプであり、靴本体１１と、靴底部１２と、支持用凸部１３とを有する他、さらに、つま先側ストッパー部１４およびかかと側ストッパー部１５を有する。
【００２７】
本実施形態では、支持用凸部の他に、つま先側ストッパー部１４とかかと側ストッパー部１５との両方を有する形態を示したが、いずれか一方のみを有してもよい。つま先側ストッパー部１４は、例えば、身体が前に傾いた場合等に、身体が前に倒れることを防止するためのストッパーの役割を果たす。また、かかと側ストッパー部１５は、例えば、身体が後ろに傾いた場合に、身体が後ろに倒れることを防止するためのストッパーの役割を果たす。
【００２８】
つま先側ストッパー部１４は、靴底部１２の接地面側の外面であって、つま先対応領域の一部に固定されている。つま先側ストッパー部１４は、靴底部１２の前記外面を基準として、支持用凸部１３よりも高さが低い。
【００２９】
つま先対応領域とは、身体のつま先とその周辺領域に対応する領域を意味する。靴底部１２において、つま先側ストッパー部１４を固定する部位は、前述のようにつま先対応領域であればよく、つま先対応領域における固定部位は、特に制限されない。靴底部１２において、一般的に、前端を基準０（０／Ｗ）、後端を基準１（Ｗ／Ｗ）とした場合、つま先対応領域は、例えば、０の位置から０．１５の位置の間の領域である。このため、靴底部におけるつま先側ストッパー部１４を固定する部位は、例えば、例えば、０の位置から０．１５の位置の間の領域であることが好ましい。
【００３０】
つま先側ストッパー部１４の形状は、特に制限されず、例えば、つま先領域の形状にあわせて適宜決定できる。
【００３１】
つま先側ストッパー部１４の高さは、特に制限されず、例えば、１．５〜２．４ｃｍであり、具体例として、大人向けの平地歩行用の場合、例えば、２〜２．４ｃｍであり、大人向けの登山用の場合、例えば、１．５〜２．４ｃｍであり、子供向けの場合、例えば、１．５〜２．１ｃｍである。つま先側ストッパー部１４の長さは、特に制限されず、例えば、１〜２．５ｃｍであり、具体例として、大人向けの場合、例えば、１〜２．５ｃｍであり、子供向けの場合、例えば、１〜１．６ｃｍである。つま先側ストッパー部１４の幅は、特に制限されず、例えば、１〜３．１ｃｍであり、具体例として、大人向けの場合、例えば、２．５〜３．１ｃｍであり、子供向けの場合、例えば、１〜１．６ｃｍである。つま先側ストッパー部の材質は、特に制限されず、例えば、支持用凸部１３と同様である。
【００３２】
かかと側ストッパー部１５は、靴底部１２の接地面側の外面であって、かかと対応領域の一部に固定されている。かかと側ストッパー部１５は、靴底部１２の前記外面を基準として、支持用凸部１３よりも高さが低い。
【００３３】
かかと対応領域とは、身体のかかととその周辺領域に対応する領域を意味する。靴底部１２において、かかと側ストッパー部１５を固定する部位は、前述のようにかかと対応領域であればよく、かかと対応領域における固定部位は、特に制限されない。靴底部１２において、一般的に、前端を基準０（０／Ｗ）、後端を基準１（Ｗ／Ｗ）とした場合、かかと対応領域は、例えば、０．８５の位置から１の位置の間の領域である。このため、靴底部におけるかかと側ストッパー部１５を固定する部位は、例えば、０．８５の位置から１の位置の間の領域であることが好ましい。
【００３４】
かかと側ストッパー部１５の形状は、特に制限されず、例えば、かかと対応領域の形状にあわせて適宜決定できる。
【００３５】
かかと側ストッパー部１５の高さは、特に制限されず、例えば、２．５〜４．５ｃｍであり、具体例として、大人向けの平地歩行用の場合、例えば、３．５〜４ｃｍであり、大人向けの登山用の場合、例えば、２．５〜４．５ｃｍであり、子供向けの場合、例えば、２．３〜３．４ｃｍである。かかと側ストッパー部１５の長さは、特に制限されず、例えば、１〜２．５ｃｍであり、具体例として、大人向けの場合、例えば、１〜２．５ｃｍであり、子供向けの場合、例えば、２〜２．５ｃｍである。かかと側ストッパー部１５の幅は、特に制限されず、例えば、１．５〜４ｃｍであり、具体例として、大人向けの場合、例えば、２．５〜４ｃｍであり、子供向けの場合、例えば、１．５〜２ｃｍである。かかと側ストッパー部１５の材質は、特に制限されず、例えば、支持用凸部１３と同様である。
【００３６】
支持用凸部１３、つま先側ストッパー部１４およびかかと側ストッパー部１５の高さは、前述のように、支持用凸部１３が、最も接地面側に突起していればよく、その他の条件は特に制限されない。
【００３７】
支持用凸部１３の高さとつま先側ストッパー部１４との高さの関係は、例えば、支持用凸部１３の接地面への接地点と、つま先側ストッパー部１４の接地面への接地点とを結ぶ線により、規定することができる。具体的には、図４に示すように、支持用凸部１３の接地面への接地点と、つま先側ストッパー部１４の接地面への接地点とを結び、その線と接地面とが成す角度αは、下限が、例えば、１０°以上であり、具体例として、平地歩行用の場合、例えば、１０°以上であり、登山用の場合、例えば、２０°以上である。また、上記角度αの上限は、例えば、３０°以下であり、具体例として、平地歩行用の場合、例えば、２５°以下であり、登山用の場合、例えば、３０°以下である。
【００３８】
支持用凸部１３の高さとかかと側ストッパー部１５との高さの関係は、例えば、支持用凸部１３の接地面への接地点と、かかと側ストッパー部１５の接地面への接地点とを結ぶ線により、規定することができる。具体的には、図４に示すように、支持用凸部１３の接地面への接地点と、かかと側ストッパー部１５の接地面への接地点とを結び、その線と接地面とが成す角度βは、下限が、例えば、５°以上であり、具体例として、平地歩行用の場合、例えば、５°以上であり、登山用の場合、例えば、１０°以上である。また、上記角度βの上限は、例えば、２０°以下であり、具体例として、平地歩行用の場合、例えば、１５°以下であり、登山用の場合、例えば、２０°以下である。
【００３９】
（実施形態３）
図５に、本発明の実施形態３の靴のアタッチメントを示す。図５（Ａ）は、アタッチメントの側面図であり、図５（Ｂ）は、アタッチメントの裏面図であり、図５（Ｃ）はアタッチメントを靴に装着した状態を示す斜視図である。図５に示すように、本実施形態のアタッチメントは、靴への取付け部４０と、支持用凸部４３と、土台部４６とを有する。
【００４０】
取付け部４０は、土台部４６を、靴の靴底の外面に固定する部材であり、土台部４６と接続されている。取付け部４０は、靴の甲の右側と左側をそれぞれ覆う一対の甲領域４０１ａ、４０１ｂと、靴の甲の右側部と左側部を覆う一対の側部領域４０２ａ、４０２ｂと、靴の足首裏側を覆うバックストラップ領域４０３とを有する。そして、甲領域４０１ａ、側部領域４０２ａ、バックストラップ領域４０３、側部領域４０２ｂおよび甲領域４０１ｂが、この順で連結しており、土台部４６の幅方向の一端に側部領域４０２ａが連結し、他端に側部領域４０２ｂが連結することで、取付け部４０が土台部４６に接続されている。一対の甲領域４０１ａおよび４０１ｂは、互いを固定する一対の留め具４７（４７ａ、４７ｂ）をそれぞれ有し、靴への装着の際には、留め具４７を解除し、靴への装着後、留め具４７で甲領域４０１ａ、４０１ｂを固定する。留め具４７は、例えば、締付の強さを段階的に変化できるものであってもよい。
【００４１】
取付け部４０の材質は、特に制限されず、布、皮、ナイロン等の樹脂製品等があげられる。
【００４２】
支持用凸部４３は、土台部４６における土踏まず対応領域の一部に固定される。具体的には、実施形態１において、支持用凸部１３が靴底部１２に固定されるのと同様の位置に配置される。支持用凸部４３は、例えば、その機能、形状および材質等、実施形態１における支持用凸部１３と同様である。
【００４３】
土台部４６は、支持用凸部４３を固定できればよく、その材質等は、特に制限されず、例えば、靴の靴底等と同様である。
【００４４】
（実施形態４）
図６に、本発明の実施形態４の靴のアタッチメントを示す。図６（Ａ）は、アタッチメントの側面図であり、図６（Ｂ）は、アタッチメントの裏面図であり、図６（Ｃ）はアタッチメントを靴に装着した状態を示す斜視図である。図５に示すように、本実施形態のアタッチメントは、靴への取付け部５０と、支持用凸部５３と、土台部５６とを有する他、さらに、つま先側ストッパー部５４およびかかと側ストッパー部５５を有する。
【００４５】
本実施形態のアタッチメントは、つま先側ストッパー部５４およびかかと側ストッパー部５５を有する以外は、特に示さない限り、実施形態３と同様である。また、つま先側ストッパー部５４およびかかと側ストッパー部５５は、実施形態２と同様である。
【００４６】
土台部５６の形状は、特に制限されないが、支持用凸部５３以外に、つま先側ストッパー部５４およびかかと側ストッパー部５５を固定することから、装着する靴の靴底と同様の形状であることが好ましい。
【００４７】
取付け部５０の形状は、特に制限されず、本実施形態においては、靴の先端、甲、側面、足首周りを覆う形状である。また、実施形態３と同様に、甲を覆う部分について、右側と左側とを開閉可能とし、留め具を備えることが好ましい。
【００４８】
以上、実施形態を参照して本発明を説明したが、本発明は、前記実施形態に限定されるものではない。本発明の構成や詳細には、本発明のスコープ内で当業者が理解しうる様々な変更をすることができる。
【産業上の利用可能性】
【００４９】
本発明の靴は、前述のように、靴底の接地面側であって、土踏まずに対応する領域に、支持用凸部を備えており、前記支持用凸部が、身体を支える支点となる。本発明の靴を着用した場合、前記支持用凸部に全重心がかかることから、全身を使ってバランスを取る必要があるため、自然とバランス力が養われることになる。また、身体のバランスを取るには、体幹のインナーマッスルが関与するため、インナーマッスルも鍛えることができる。本発明の靴のアタッチメントも、靴への装着により、同様の効果を奏することができる。
【図１】
2017158950.tif 000003
【図２】
2017158950.tif 000004
【図３】
2017158950.tif 000005
【図４】
2017158950.tif 000006
【図５】
2017158950.tif 000007
【図６】
2017158950.tif 000008